(57)【特許請求の範囲】
【請求項１】
複数のホログラムが記録されたホログラム媒体と、このホログラム媒体に再生用参照光を照射するホログラム再生手段とを備え、
前記複数のホログラムは、それぞれ、再生光が個々のホログラムごとに異なる空間位置に集光スポットを形成するための書込光と、これと対をなす参照光とによって記録されたものであり、
前記ホログラム再生手段は、前記再生用参照光によって前記複数のホログラムを、それぞれのホログラムに対応した空間位置に集光スポットを形成するように再生するものである、
ことを特徴とする光走査装置。
【請求項２】
請求項１の光走査装置において、
前記複数のホログラムは、前記ホログラム媒体中の同じ位置に重ねて記録されたものであり、前記ホログラム再生手段は、位相空間中で互いに直交する再生用参照光を切り替えることによって前記複数のホログラムを再生する、ことを特徴とする光走査装置。
【請求項３】
請求項２の光走査装置において、
前記再生用参照光として、前記ホログラム媒体への入射角度が異なる参照光を用いることを特徴とする光走査装置。
【請求項４】
請求項２の光走査装置において、
前記再生用参照光として、波長が異なる参照光を用いることを特徴とする光走査装置。
【請求項５】
請求項２の光走査装置において、
前記再生用参照光として、空間的な直交関数パターンに沿って空間変調された参照光を用いることを特徴とする光走査装置。
【請求項６】
請求項１の光走査装置において、
前記複数のホログラムは、前記ホログラム媒体中の異なる位置に記録されたものであることを特徴とする光走査装置。
【請求項７】
請求項６の光走査装置において、
前記複数のホログラムは、円周上に沿って記録されたものであり、前記ホログラム再生手段は、前記ホログラム媒体を回転させることによって、前記再生用参照光が照射されるホログラムを切り替えることを特徴とする光走査装置。
【請求項８】
請求項１〜７のいずれかの光走査装置において、
前記再生光が前記集光スポット位置で反射して得られる光を受光する受光素子を設けたことを特徴とする光走査装置。
【発明の詳細な説明】
【０００１】
【発明の属する技術分野】
この発明は、レーザプリンタやレーザスキャナ、または光計測や光情報処理などに用いられる光走査装置に関する。
【０００２】
【従来の技術】
光走査装置としては、従来、回転多面鏡とｆ−θレンズを用いたものが、よく用いられている。
【０００３】
図９は、この回転多面鏡およびｆ−θレンズを用いた従来の光走査装置を示し、その光走査装置は、レーザダイオードなどの光源４３、この光源４３からの光をコリメートするレンズ１９、このレンズ１９を介した光を反射させる回転多面鏡２７、この回転多面鏡２７で反射した光を直線９０上に集光させるｆ−θレンズ２０を備え、回転多面鏡２７の回転およびｆ−θレンズ２０によって、直線９０上を集光スポットＰが等速で走査する。
【０００４】
【発明が解決しようとする課題】
しかしながら、図９に示したような回転多面鏡２７およびｆ−θレンズ２０を用いた従来の光走査装置は、光が直線９０上を逐次的に走査するだけである。複数の光走査装置を組み合せることによって２次元または３次元の光走査も可能であるが、その場合でも逐次的に光走査できるだけであり、任意の位置を任意の順序で光走査することはできない。
【０００５】
そこで、この発明は、光走査の自由度を有し、任意の位置を任意の順序で光走査することができるようにしたものである。
【０００６】
【課題を解決するための手段】
この発明では、
複数のホログラムが記録されたホログラム媒体と、このホログラム媒体に再生用参照光を照射するホログラム再生手段とを設け、
前記複数のホログラムは、それぞれ、再生光が個々のホログラムごとに異なる空間位置に集光スポットを形成するための書込光と、これと対をなす参照光とによって記録されたものとし、
前記ホログラム再生手段は、前記再生用参照光によって前記複数のホログラムを、それぞれのホログラムに対応した空間位置に集光スポットを形成するように再生するものとする。
【０００７】
【作用】
図１に、この発明の光走査装置の原理および作用を示すと、上記のように構成した、この発明の光走査装置においては、ホログラム媒体１には複数のホログラムが記録されている。ただし、その複数のホログラムは、ある参照光に対して特定の再生光のみが再生されるように、記録されたものである。
【０００８】
すなわち、複数のホログラムのホログラム媒体１への記録は、次のように行う。まず、直線９０上に集光スポットＰ１を形成するような１番目の書込光１０１−１を、１番目の参照光１０２−１を用いて、ホログラム媒体１に記録する。
【０００９】
次に、直線９０上に集光スポットＰ２を形成するような２番目の書込光１０１−２を、２番目の参照光１０２−２を用いて、ホログラム媒体１に記録する。以下同様にして、ｎ番目の書込光１０１−ｎまでを順次、ホログラム媒体１に記録する。
【００１０】
このようにホログラム媒体１にｎ個のホログラムを記録した状態で、この発明の光走査装置においては、ホログラム媒体１に書込光１０１を入射させずに、ホログラム媒体１に１番目の参照光１０２−１を入射させる。これによって、ホログラム媒体１に記録された１番目の書込光１０１−１の波面が１番目の再生光１０３−１として再生され、直線９０上に集光スポットＰ１が形成される。
【００１１】
同様に、ホログラム媒体１にｎ番目の参照光１０２−ｎを入射させると、ホログラム媒体１に記録されたｎ番目の書込光１０１−ｎの波面がｎ番目の再生光１０３−ｎとして再生され、直線９０上に集光スポットＰｎが形成される。
【００１２】
したがって、参照光１０２を１番目からｎ番目まで、順次切り替えることによって、直線９０上をスポットＰ１からスポットＰｎまで、離散的にではあるが、光走査することができる。また、必要に応じてｎを十分大きくすることによって、十分滑らかに光走査することが可能となる。
【００１３】
さらに、記録する集光スポットの位置は個々のホログラムごとに任意に設定できるので、空間内に自由な軌跡を描いて走査し、またはある場所からある場所に飛び飛びに走査し、または走査の順序を変えるなど、従来では不可能だった自由な光走査が可能となる。
【００１４】
【発明の実施の形態】
上述したように、この発明の光走査装置は、複数のホログラムが記録されたホログラム媒体と、このホログラム媒体に再生用参照光を照射するホログラム再生手段とを備えるものであり、その複数のホログラムは、それぞれ、再生光が個々のホログラムごとに異なる空間位置に集光スポットを形成するための書込光と、これと対をなす参照光とによって記録されたものであり、そのホログラム再生手段は、再生用参照光によって複数のホログラムを、それぞれのホログラムに対応した空間位置に集光スポットを形成するように再生するものである。
【００１５】
そして、この発明の光走査装置において、ある参照光に対してただ１つの集光スポットを再生する方法としては、（１）複数のホログラムを、位相空間中で互いに直交する参照光を用いて、ホログラム媒体中の同じ位置に重ねて記録する方法と、（２）複数のホログラムを、ホログラム媒体中の異なる位置に記録する方法と、を利用することができる。
【００１６】
（１）の場合、互いに直交する参照光として、ホログラム媒体への入射角度が異なるｎ個の参照光、波長が異なるｎ個の参照光、または空間的な直交関数パターンに沿って空間変調されたｎ個の参照光、などを利用することができる。（２）の場合、ホログラム媒体中の異なる位置に参照光を照射する方法として、参照光を走査させる方法や、ホログラム媒体を移動または回転させる方法などを利用することができる。また、（１）と（２）の方法を併用することもできる。
【００１７】
以下、この発明の光走査装置の幾つかの具体例を、ホログラム媒体へのホログラム記録方法とともに示す。
【００１８】
〔実施例１〕
図２は、この発明の光走査装置の第１の例を示す。ホログラム媒体１としては、フォトリフラクティブ材料である１０ｍｍ角のＬｉＮｂＯ３：Ｆｅ結晶を用いる。書込光１０１は、ホログラム媒体１から２００ｍｍ離れた直線９０上に集光スポットを形成する集束光とする。集光スポットは、スポットＰ１〜Ｐ１１で示すように、直線９０上に一列に５ｍｍ間隔で１１点、得られるようにする。
【００１９】
参照光１０２を得る参照光生成手段は、光源４１、音響光偏向器３およびレンズ１２，１３によって構成する。半透鏡２８および受光素子５１は、後述する実施例７のために設けるもので、この実施例１では不要である。
【００２０】
光源４１としてＡｒ＋レーザを用いて、これからの４８８ｎｍの発振線を音響光偏向器３に入射させ、音響光偏向器３で回折により偏向された光を、レンズ１３および１２によってホログラム媒体１に導く。レンズ１３および１２の焦点距離を等しくして、これをｆとすると、音響光偏向器３とレンズ１３との距離をｆ、レンズ１３とレンズ１２との距離を２ｆ、レンズ１２とホログラム媒体１の中心との距離をｆとする。これによって、音響光偏向器３での偏向角にかかわらず、参照光１０２がホログラム媒体１の中心を通るようになる。
【００２１】
音響光偏向器３としては、二酸化テルルからなるものを用いる。そして、その変調周波数を７５ＭＨｚから１２５ＭＨｚまで、５ＭＨｚごとにステップ状に変化させることによって、ホログラム媒体１への入射角が０．２５°ずつ異なる１番目から１１番目までの１１個の参照光１０２を得る。
【００２２】
上記の書込光１０１および参照光１０２によって、次のようにホログラム媒体１に１１個のホログラムを記録する。まず、直線９０上に集光スポットＰ１を形成するような１番目の書込光１０１−１を、１番目の参照光１０２−１を用いて、ホログラム媒体１に記録する。
【００２３】
次に、直線９０上に集光スポットＰ２を形成するような２番目の書込光１０１−２を、２番目の参照光１０２−２を用いて、１番目の書込光１０１−１に重ねてホログラム媒体１に記録する。以下同様にして、１１番目の書込光１０１−１１までを、順次重ねてホログラム媒体１に記録する。
【００２４】
このようにホログラム媒体１に１１個のホログラムを記録した状態で、ホログラム媒体１に書込光１０１を入射させずに参照光１０２のみを入射させ、音響光偏向器３の変調周波数を７５ＭＨｚから１２５ＭＨｚまで、５ＭＨｚごとにステップ状に変化させることによって、１番目の集光スポットＰ１から１１番目の集光スポットＰ１１までを順次再生することができ、光走査を行うことができる。
【００２５】
ホログラム媒体１としては、ＬｉＮｂＯ３：Ｆｅ結晶に限らず、ＢａＴｉＯ３，ＳＢＮ，ＫＴＮなどの強誘電体、ＢＳＯなどの常誘電体、ＧａＡｓなどの半導体、ＰＶＫ：ＤＭＮＰＡＡ：ＴＮＦなどの有機化合物など、他のフォトリフラクティブ材料を利用することができる。また、フォトリフラクティブ材料に限らず、銀塩写真材料やフォトポリマーなど、公知のホログラム記録材料を利用することができる。
【００２６】
また、上記の例はホログラム媒体１を体積ホログラムとする場合であるが、薄いホログラムでも、この発明を実現することができる。ただし、薄いホログラムでは再生光１０３に書込光１０１の虚像が現れるとともに、薄いホログラムは体積ホログラムより回折効率が低いことから、体積ホログラムを用いる方が好ましい。
【００２７】
書込光１０１は、集束光でなくてもよい。例えば、図３に示すように、書込光１０１を平行光とし、ホログラム媒体１と直線９０との間にレンズ１１を設けることによって、書込光１０１を直線９０上の点Ｐｎに集束させることができる。要するに、最終的に直線９０上に集光スポットＰｎを形成できれば、書込光１０１はどのような波面を有するものでもよい。
【００２８】
参照光生成手段としては、音響光偏向器に限らず、電気光学偏向器や、回転鏡、回転多面鏡、振動鏡などの機械式偏向器を利用することができる。
【００２９】
しかし、図２の例のように機械的な偏向手段を用いない場合には、機械的な偏向手段を用いた場合に問題となる騒音や振動を生じない利点がある。また、音響光偏向器３単体によって可能な偏向角度は数度程度であるが、図２の例のように構成することによって偏向角度を数十度にすることも可能である。
【００３０】
上述した実施例１によれば、集光スポットの間隔を一定として、参照光１０２を一定時間間隔で切り替えることによって、ｆ−θレンズを用いることなく容易に等速走査が可能となる。
【００３１】
また、図９に示したような回転多面鏡２７およびｆ−θレンズ２０を用いた従来の光走査装置では、偏向角度に依存して集光位置が直線９０の前後にずれる、いわゆる像面歪曲を生じるが、実施例１によれば、原理的に像面歪曲を生じない。
【００３２】
しかも、実施例１によれば、直線９０上をＰ１→Ｐ２→‥‥の順に逐次的に光走査できるだけでなく、任意の集光スポットを任意の順序で再生することができ、ある集光スポットを飛ばして他の集光スポットを走査することができる。
【００３３】
〔実施例２〕
図４は、この発明の光走査装置の第２の例を示す。この例では、４個の集光スポットＰ１〜Ｐ４が書込光１０１の光軸方向に一列に並ぶように、書込光１０１を平行光としてレンズ１８に入射させ、レンズ１８とホログラム媒体１との距離を変えて、１〜４番目の書込光１０１−１〜１０１−４を生成する。参照光生成手段は、図では省略したが、例えば図２に示した実施例１と同様に構成することができ、１〜４番目の参照光１０２−１〜１０２−４が得られるようにする。
【００３４】
そして、まず、レンズ１８を１番目の位置にして、レンズ１８の光軸上に集光スポットＰ１を形成するような１番目の書込光１０１−１を、１番目の参照光１０２−１を用いて、ホログラム媒体１に記録する。
【００３５】
次に、レンズ１８を２番目の位置にして、レンズ１８の光軸上に集光スポットＰ２を形成するような２番目の書込光１０１−２を、２番目の参照光１０２−２を用いて、１番目の書込光１０１−１に重ねてホログラム媒体１に記録する。以下同様にして、４番目の書込光１０１−４までを、順次重ねてホログラム媒体１に記録する。
【００３６】
このようにホログラム媒体１に４個のホログラムを記録した状態で、ホログラム媒体１に書込光１０１を入射させずに参照光１０２のみを入射させ、参照光生成手段を構成する、例えば図２に示したような音響光偏向器３の変調周波数を変化させることによって、４個の集光スポットＰ１〜Ｐ４を順次、または任意の順序で再生することができ、光走査を行うことができる。
【００３７】
この例の光走査装置は、可変焦点調節機構として利用することができる。また、この実施例２によれば、直線上の集光スポットの走査のみならず、任意の曲線、任意の平面もしくは曲面、または任意の３次元空間内を、任意に光走査することができる。
【００３８】
〔実施例３〕
図５（Ａ）は、この発明の光走査装置の第３の例を示す。この例は、参照光生成手段を、空間光変調器４のレンズ１４によるフーリエ変換像を参照光１０２として用いる構成にするとともに、図２に示した実施例１と同様の直線９０上に、４個の集光スポットＰ１〜Ｐ４を配置する場合である。
【００３９】
空間光変調器４としては、電気的に位相を０またはπの間で変化させることのできる液晶空間光変調器を用いる。すなわち、図５（Ｂ）の１〜４番目に示す４つの位相パターンを用いて、それぞれ集光スポットＰ１〜Ｐ４を形成するような４つの書込光１０１−１〜１０１−４を、順次重ねてホログラム媒体１に記録する。図５（Ｂ）の位相パターンは、アダマール関数であって、互いに直交しているものである。
【００４０】
２ｎ次（ｎは整数）のアダマール関数は、次の式（１）（２）で表され、図５（Ｂ）の位相０，πが、式（１）（２）の行列要素１，−１，Ｈｎ，−Ｈｎに対応する。
【００４１】
【数１】
0003555642.tif 000002
【００４２】
ただし、空間的な直交関数パターンとしては、アダマール関数に限らず、例えば、離散コサイン関数や離散サイン関数など、公知の直交関数パターンを利用することができる。また、空間的な直交関数パターンは、図５（Ｂ）のような空間的に離散化したパターンである必要はなく、連続的に位相が変化する関数であってもよい。
【００４３】
このようにホログラム媒体１に４個のホログラムを記録した状態で、ホログラム媒体１に書込光１０１を入射させずに参照光１０２のみを入射させ、空間光変調器４の位相パターンを図５（Ｂ）の１〜４番目に示すパターンとすることによって、４個の集光スポットＰ１〜Ｐ４を順次、または任意の順序で再生することができ、光走査を行うことができる。
【００４４】
〔実施例４〕
図６は、この発明の光走査装置の第４の例を示す。この例は、参照光１０２として波長の異なるレーザ光を用いる場合である。具体的に、この例では、参照光生成手段は、光源４２、それぞれ半透鏡である反射鏡２５，２６間に色素セル３１を配した共振器、圧電素子５、およびレンズ１５，１６からなるビームエキスパンダによって構成する。
【００４５】
光源４２としてＮ２レーザを用いて、これからの３３７ｎｍの発振線を共振器に入射させる。共振器内の色素セル３１は、レーザ色素溶液が入ったもので、共振器は、いわゆる色素レーザを構成し、反射鏡２５側の圧電素子５によって共振器長が電気的に変えられる。
【００４６】
共振器からの出射光の一部は、レンズ１５，１６からなるビームエキスパンダによってビーム径が拡大されて、参照光１０２としてホログラム媒体１に入射する。共振器からの出射光の残りは、レンズ１７に導かれて、書込光１０１としてホログラム媒体１に入射する。
【００４７】
そして、圧電素子５に印加する電圧をステップ状に変化させることによって、それにより波長が変えられた参照光１０２によって、それぞれ直線９０上に集光スポットＰ１〜Ｐ４を形成するような４個の書込光１０１−１〜１０１−４を、順次重ねてホログラム媒体１に記録する。
【００４８】
このようにホログラム媒体１に４個のホログラムを記録した状態で、ホログラム媒体１に書込光１０１を入射させずに参照光１０２のみを入射させ、記録時と同様に圧電素子５に印加する電圧をステップ状に変化させることによって、４個の集光スポットＰ１〜Ｐ４を順次、または任意の順序で再生することができ、光走査を行うことができる。
【００４９】
〔実施例５〕
図７は、この発明の光走査装置の第５の例を示す。図２または図３に示した実施例１、図４に示した実施例２、図５に示した実施例３、および図６に示した実施例４は、いずれもホログラム媒体１の同一箇所に複数のホログラムを重ねて記録する場合であるが、この例は、ホログラム媒体１の空間的に異なる場所に複数のホログラムを記録する場合である。
【００５０】
この例では、ホログラム媒体１として、厚さ１００μｍのフォトポリマーからなるホログラム乾板を用いる。参照光生成手段は、図では省略した光源と音響光偏向器３とによって構成して、光源からの平行光を音響光偏向器３に入射させ、音響光偏向器３で回折により偏向された光が、参照光１０２としてホログラム媒体１上を走査するようにする。参照光１０２の偏向角は、音響光偏向器３の変調周波数を変化させることによって、変えることができる。
【００５１】
記録にあたっては、まず、参照光１０２がホログラム媒体１上の位置Ｑ１を照射するように参照光１０２の偏向角を決め、その１番目の参照光１０２−１を用いて、位置Ｑ１を通って直線９０上の集光スポットＰ１に集束するような１番目の書込光１０１−１を、ホログラム媒体１の位置Ｑ１に記録する。
【００５２】
次に、参照光１０２がホログラム媒体１上の位置Ｑ２を照射するように参照光１０２の偏向角を決め、その２番目の参照光１０２−２を用いて、位置Ｑ２を通って直線９０上の集光スポットＰ２に集束するような２番目の書込光１０１−２を、ホログラム媒体１の位置Ｑ２に記録する。以下同様にして、ホログラム媒体１の異なる位置に複数の書込光を記録する。
【００５３】
このようにホログラム媒体１に複数のホログラムを記録した状態で、ホログラム媒体１に書込光１０１を入射させずに参照光１０２のみを入射させ、音響光偏向器３の変調周波数を変化させることによって、複数の集光スポットＰ１，Ｐ２‥‥を順次、または任意の順序で再生することができ、光走査を行うことができる。
【００５４】
一般に、ホログラム媒体の同一箇所にｎ個のホログラムを多重記録した場合には、ｎの増加に伴って、回折効率は１／ｎ２に比例して低下する。しかしながら、この実施例５によれば、ホログラム媒体１の同一箇所に複数のホログラムを多重記録しないで、ホログラム媒体１の空間的に異なる場所に複数のホログラムを記録するので、高い回折効率を得ることができる。
【００５５】
〔実施例６〕
図８は、この発明の光走査装置の第６の例を示す。上記の実施例５は、ホログラム媒体１の空間的に異なる位置Ｑ１，Ｑ２‥‥に参照光１０２を走査させて、集光スポットＰ１，Ｐ２‥‥に対応したホログラムを記録するとともに、集光スポットＰ１，Ｐ２‥‥を再生する場合である。
【００５６】
これに対して、この例では、ホログラム媒体１を円盤状に形成して、これに一定方向から参照光１０２を照射するとともに、ホログラム媒体１を回転させることによって、参照光１０２をホログラム媒体１の円周に沿う位置Ｑ１，Ｑ２‥‥上に走査させる。したがって、この例の参照光生成手段は、図示していないが、光源と、ホログラム媒体１を回転させる回転機構とによって構成することができる。
【００５７】
図では省略したが、書込光も一定方向からホログラム媒体１に照射し、ホログラム媒体１を回転させることによって、位置Ｑ１，Ｑ２‥‥上に直線９０上の集光スポットＰ１，Ｐ２‥‥に対応したホログラムを記録する。
【００５８】
このようにホログラム媒体１に複数のホログラムを記録した状態で、ホログラム媒体１に書込光を入射させずに参照光１０２のみを入射させ、ホログラム媒体１を回転させることによって、複数の集光スポットＰ１，Ｐ２‥‥を順次、または任意の順序で再生することができ、光走査を行うことができる。
【００５９】
この例は一見、円盤上に複数のホログラムを配置した従来のホログラムスキャナに類似している。しかし、従来のホログラムスキャナでは、個々のホログラムがレンズの作用を示し、円盤の回転に伴って参照光のレンズへの入射瞳の位置が変化することによって光走査を行うのに対して、この例では、円盤状のホログラム媒体１上の１つ１つのホログラムが、空間中に固定された１つ１つの集光スポットに、１対１で対応づけられる点で、両者は技術的に全く異なる。
【００６０】
図７に示した実施例５では、ホログラム記録時、書込光１０１および参照光１０２をホログラム媒体１上に走査させる必要がある。これに対して、この実施例６によれば、書込光および参照光１０２を固定して、代わりに円盤状のホログラム媒体１を回転させるので、実施例５のように書込光１０１と参照光１０２がホログラム媒体１上の同一の点を通るように制御する場合と比較すると、はるかに簡単な制御で済む利点がある。ホログラム媒体１の空間的に異なる場所に複数のホログラムを記録するので高い回折効率が得られる点は、実施例５と同じである。
【００６１】
なお、ホログラム媒体１は、ある円の中心で回転させ、その円の周上に沿って複数のホログラムを記録すれば、その外形は必ずしも円盤状である必要はない。
【００６２】
〔実施例７〕
上記の実施例１〜６のような、この発明の光走査装置は、例えば、書込光を画像データなどにより変調することによって、レーザプリンタなどの光書込装置として利用することができる。これに対して、この発明の光走査装置は、画像などを読み取る読取スキャナ（イメージスキャナ）として利用することもできる。実施例７は、この場合である。
【００６３】
実施例７では、図２に示した実施例１において、音響光偏向器３と光源４１との間に半透鏡２８を配置するとともに、半透鏡２８で反射した光を受光する受光素子５１を設け、直線９０上の集光スポットＰ１〜Ｐ１１からの反射光を受光素子５１で受光できるようにする。
【００６４】
この場合、直線９０上に印刷物を置き、実施例１において上述したように、ホログラム媒体１に１１個のホログラムが記録されている状態で、ホログラム媒体１に書込光１０１を入射させずに参照光１０２のみを入射させ、音響光偏向器３の変調周波数を変化させることによって、印刷物上の集光スポットＰ１〜Ｐ１１の位置からの反射光を順次、受光素子５１で受光することができるとともに、受光素子５１の出力値は、印刷物上のそれぞれの集光スポットＰ１〜Ｐ１１の位置における印刷濃度に応じて変化したものとなる。
【００６５】
したがって、直線９０上に置かれた印刷物を読み取ることができ、読取スキャナとして利用することができる。
【００６６】
【発明の効果】
上述したように、この発明によれば、空間内に自由な軌跡を描いて走査し、またはある場所からある場所に飛び飛びに走査し、または走査の順序を変えるなど、従来では不可能だった自由な光走査が可能となる。
【図面の簡単な説明】
【図１】この発明の光走査装置の原理および作用を説明するための図である。
【図２】実施例１および７の光走査装置を示す図である。
【図３】実施例１および７の光走査装置の書込光に係る別の例を示す図である。
【図４】実施例２の光走査装置を示す図である。
【図５】実施例３の光走査装置を示す図である。
【図６】実施例４の光走査装置を示す図である。
【図７】実施例５の光走査装置を示す図である。
【図８】実施例６の光走査装置を示す図である。
【図９】従来の光走査装置の例を示す図である。
【符号の説明】
１  ホログラム媒体
３  音響光偏向器
４  空間光変調器
５  圧電素子
１１〜１８  レンズ
２５，２６  反射鏡
２８  半透鏡
３１  色素セル
４１，４２  光源
５１  受光素子
９０  直線
１０１  書込光
１０２  参照光
１０３  再生光
Ｐ１，Ｐ２‥‥Ｐｎ  集光スポット
【図１】
0003555642.tif 000003
【図２】
0003555642.tif 000004
【図３】
0003555642.tif 000005
【図４】
0003555642.tif 000006
【図５】
0003555642.tif 000007
【図６】
0003555642.tif 000008
【図７】
0003555642.tif 000009
【図８】
0003555642.tif 000010
【図９】
0003555642.tif 000011